(57)【要約】【課題】明るい環境下においても外光の影響を受けることなく明るくきれいな画像を表示する有機ＥＬ表示装置を提供する。【解決手段】少なくとも反射電極と、有機ＥＬ発光層と、透明電極と、からなる有機ＥＬ素子部１１と、位相板（１／４波長板１４）と、偏光板（直線偏光板１５）と、からなる円偏光板と、を備え、該偏光板の表面が反射する光の色の補色波長領域の反射率が高い反射防止層（第一の反射防止層１６、第二の反射防止層１８、第三の反射防止層１９）を、該円偏光板より観察者側に設けられている部材の空気界面に設けることを特徴とする、有機ＥＬ表示装置１。【選択図】図１
2009259721.tif 000002
【特許請求の範囲】
【請求項１】
少なくとも反射電極と、有機ＥＬ発光層と、透明電極と、からなる有機ＥＬ素子部と、
位相板と、偏光板と、からなる円偏光板と、を備え、
該偏光板の表面が反射する光の色の補色波長領域の反射率が高い反射防止層を、該円偏光板より観察者側に設けられている部材の空気界面に設けることを特徴とする、有機ＥＬ表示装置。
【請求項２】
さらに前記有機ＥＬ発光層と前記位相板との間に、特定波長領域の光の偏光を分離する機能を有するコレステリック液晶層を設けることを特徴とする、請求項１に記載の有機ＥＬ表示装置。
【請求項３】
前記偏光板が、特定波長領域の光の偏光度を他の波長領域の光の偏光度よりも低くすることを特徴とする、請求項１に記載の有機ＥＬ表示装置。
【請求項４】
前記円偏光板の上面に特定波長領域の光の反射率を低くする反射防止層を設けることを特徴とする、請求項１に記載の有機ＥＬ表示装置。
【請求項５】
前記偏光板より観察者側に備えている部材が保護基板であり、前記反射防止層が前記偏光板の上面側の空気界面、及び該保護基板の底部及び上部の空気界面に設けられていることを特徴とする、請求項１〜４のいずれか一項に記載の有機ＥＬ表示装置。
【発明の詳細な説明】
【技術分野】
【０００１】
本発明は、有機ＥＬ表示素子に係り、明るい環境の下でも良好な色再現が可能な有機ＥＬ表示装置に関するものである。
【背景技術】
【０００２】
図１５は、従来の有機ＥＬ表示装置の一例を示す断面模式図である。図１５の有機ＥＬ表示装置１００は、有機ＥＬ素子部と、この有機ＥＬ素子部の上部を覆う保護基板と、から構成される。
【０００３】
図１５の有機ＥＬ表示装置１００において、有機ＥＬ素子部とは、素子基板１０１上に、反射電極１０２、ホール輸送層１０３、発光層１０４、電子輸送層１０５、透明電極１０６及び透明保護膜１０７が順次積層されている一連の積層体を言う。この有機ＥＬ素子部において、素子基板１０１には、反射電極１０２に電気的に接続する駆動回路（図示せず）が埋め込まれており、反射電極１０２は、画素電極（陽極）として機能する光反射性の金属からなる電極であり、透明電極１０６は、陰極として機能する。
【０００４】
また、図１５の有機ＥＬ表示装置１００において、保護基板とは、透明ガラス、プラスチック等からなる上部基板１０８を言う。この上部基板１０８を設けることにより有機ＥＬ素子部にキズがつくのを防ぐことができる。
【０００５】
両電極から注入された電荷は発光層１０４で再結合し発光が起こる。ここで発光層１０４から出射した光のうち透明電極１０６側に向かった光は、このまま透明電極１０６を透過する。一方、反射電極１０２に向かった光は、反射電極１０２で反射された後、透明電極１０６を透過する。ここで反射電極１０２の反射率は高ければ、透明電極１０６を透過する光の量が多くなるので明るい表示が得られる。ところが明るい環境下においては、この反射電極１０２が、発光層１０４から発する光の他に外から入ってきた光（外光）も反射するため表示画面のコントラストが低下するという問題がある。
【０００６】
これを解決するための手段として、特許文献１に、有機ＥＬ素子部の光出射面側に円偏光板を配置した構造が開示されている。しかし円偏光板を備えた有機ＥＬ表示素子では、発光層から出射する光の約半分が円偏光板で吸収されるため、表示が暗くなるという問題が残る。
【０００７】
そこで円偏光板で吸収される光を減らす方法の一つとして、特許文献２に、偏光板と１／４波長板とからなる円偏光板と、発光層との間に、コレステリック液晶層からなる円偏光選択反射手段を備えるＥＬ素子が開示されている。このＥＬ素子において、偏光板を透過して入射した外光は、反射電極で反射した後、コレステリック液晶層でもう一度反射電極側へ反射されるが、２度目に反射電極で反射される外光成分は、コレステリック液晶層、１／４波長板、偏光板を透過して外部に出てしまう。結果として、通常の円偏光板と比べて、外光反射が大きくなり、コントラストが低下するという問題がある。
【０００８】
これらの問題を解決する方法として、特許文献３には、コレステリック液晶層の屈折率、ピッチ等を調整して、外光成分のうち５１０ｎｍ以下（青色）の波長領域を選択的に反射することを可能にする偏光板を用いた有機ＥＬ表示素子が開示されている。この有機ＥＬ表示素子は、赤色や緑色と比べて発光効率が低い青色が明るくなるためカラー表示の消費電力が軽減される。また視感度の低い青色の外光反射だけが大きくなるので、コントラストはほとんど低下しない。しかし、外光反射により有機ＥＬ表示面が、青色味を帯びてしまうという問題があった。
【０００９】
一方で、円偏光板で吸収される光を減らして明るい表示を実現する方法として、青色だけを効率よく取り出すカラー偏光板を使用する方法がある。このカラー偏光板は、たとえば、特許文献４に開示されている青色透過偏光板の製法によって得ることができる。具体的には、染料Ｃ．Ｉ．Ｄｉｒｅｃｔ  Ｂｌｕｅ  ２０２と、Ｃ．Ｉ．Ｄｉｒｅｃｔ  Ｖｉｏｌｅｔ  ５１とを所定の比率に混合した染色液を用いて基材のＰＶＡを染色、延伸することによって青色透過偏光板を形成するものである。この青色透過偏光板を設けた有機ＥＬ表示素子は、青色の波長領域における光の吸収が少ないので、上記のコレステリック液晶層からなる円偏光選択反射手段を備える有機ＥＬ表示素子と同様に青色を明るく表示することが可能になる。しかし青色の波長領域では、青色透過偏光板による吸収がほとんどないので、明るい環境下で使用した場合に外光反射抑制作用が無く、表示面が青色味を帯びてしまうという問題があった。
【００１０】
【特許文献１】特開平７−１４２１７０号公報
【特許文献２】特開２００１−３５７９７９号公報
【特許文献３】特開２００４−０３０９５５号公報
【特許文献４】特開２００１−１１２０１３号公報
【発明の開示】
【発明が解決しようとする課題】
【００１１】
このように、従来の有機ＥＬ表示装置では、明るい表示が実現する一方で、明るい環境下においては外光反射抑制作用が低いため、有機ＥＬ表示面が色味を帯びてしまう問題があった。
【００１２】
以上の課題を解決すべく本発明の目的は、明るい環境下においても外光の影響を受けることなく明るくきれいな画像を表示する有機ＥＬ表示装置を提供することである。
【課題を解決するための手段】
【００１３】
本発明の有機ＥＬ表示装置は、少なくとも反射電極と、有機ＥＬ発光層と、透明電極と、からなる有機ＥＬ素子部と、位相板と、偏光板と、からなる円偏光板と、を備え、該偏光板の表面が反射する光の色の補色波長領域の反射率が高い反射防止層を、該円偏光板より観察者側に設けられている部材の空気界面に設けることを特徴とする。
【発明の効果】
【００１４】
本発明によれば、明るい環境下においても外光の影響を受けることなく明るくきれいな画像を表示する有機ＥＬ表示装置を提供することができる。
【００１５】
また本発明の有機ＥＬ表示素子は、発光の透過率が高く、消費電力が少ない特徴がある。さらに反射光は色味が無彩色である。このため室内の蛍光灯のような、輝度の高い外光が映り込んだ場合でも、明るくきれいな画像を表示することが可能である。
【発明を実施するための最良の形態】
【００１６】
以下本発明を詳細に説明する。本発明の有機ＥＬ表示装置は、少なくとも反射電極と、有機ＥＬ発光層と、透明電極と、からなる有機ＥＬ素子部と、位相板と、偏光板と、からなる円偏光板と、を備える。また、本発明の有機ＥＬ表示装置は、偏光板の表面が反射する光の色の補色波長領域の反射率が高い反射防止層を、該円偏光板より観察者側に設けられている部材の空気界面に設けることを特徴とする。ここで、偏光板より観察者側に備えている部材は、好ましくは、保護基板であり、反射防止層が偏光板の上面側の空気界面、及び保護基板の底部及び上部の空気界面に設けられている。
【００１７】
以下、図面を参照しながら本発明の有機ＥＬ表示装置について説明する。
【００１８】
＜第一の実施形態＞
図１は、本発明の有機ＥＬ表示装置における第一の実施形態を示す断面模式図である。
【００１９】
図１の有機ＥＬ表示装置１は、第一の積層体と第二の積層体とから構成される。即ち、第一の積層体とは、有機ＥＬ素子部１１、接着層１２、コレステリック液晶層１３、１／４波長板１４、直線偏光板１５及び第一の反射防止層１６がこの順に設けられている積層体である。また第二の積層体とは、保護基板１７の底面及び上面に第二の反射防止層１８及び第三の反射防止層１９がそれぞれ設けられている積層体である。尚、ここでいう底面とは、図１の有機ＥＬ表示装置の第一の積層体側にある保護基板の面をいい、上面とは、観測者側にある保護基板の面をいう。図１の有機ＥＬ表示装置１において、第二の積層体は、第一の積層体の真上にあり、第一の積層体とは離隔して設けられている。
【００２０】
次に、第一の実施形態に相当する有機ＥＬ表示装置を構成する各層について詳細に説明する。
【００２１】
有機ＥＬ素子部１１は、下部基板上に少なくとも反射電極（陽極）、有機ＥＬ発光層を含む有機化合物層及び透明電極（陰極）がこの順に設けられている積層体である。本発明の有機ＥＬ表示装置において、有機ＥＬ素子部１１の構成（主に、有機化合物層の構成）、及び素子を構成する各層の構成材料については特に限定されるものではない。
【００２２】
接着層１２は、後述する円偏光板を有機ＥＬ素子部１１の上部に固定するために設けられる層である。本発明の有機ＥＬ表示装置において、接着層１２を構成する接着剤については特に限定されるものではない。例えば、アクリル樹脂、エポキシ樹脂等を用いた接着剤が挙げられる。
【００２３】
コレステリック液晶層１３、１／４波長板１４及び直線偏光板１５は、円偏光板を構成する層である。この円偏光板において、１／４波長板１４は、位相板としての役割を果たし、直線偏光板１５は偏光板としての役割を果たす。一方、コレステリック液晶層１３は、特定波長領域の色の偏光を分離し、選択的に反射する機能を有する層である。
【００２４】
このコレステリック液晶層１３により、特定波長領域の光の偏光が選択的に反射される場合、反射光のピーク波長λ0及びそ反射光の波長帯域Δλには、それぞれ下記に示す関係式が成り立っている。
【００２５】
λ0＝ｎm×ｐ      （ｉ）
Δλ＝Δｎ×ｐ    （ｉｉ）
【００２６】
上記式において、ｐは、コレステリック液晶層の螺旋ピッチ（単位：ｎｍ）を表し、ｎmは、コレステリック液晶層を構成する液晶の平均屈折率を表し、Δｎは、当該液晶の複屈折を表す。
【００２７】
このためコレステリック液晶層１３を形成する際には、構成部材である液晶材料を、上記式（ｉ）及び（ｉｉ）を考慮しながら適宜選択することができる。例えば、青色の光を選択的に反射する表示装置にしたいのであれば、青色の波長領域を選択的に反射するコレステリック液晶層を設ければよい。
【００２８】
第一の反射防止層１６は、本発明の効果を奏する範囲において、その構成材料を上述した円偏光板の構成材料に合わせて適宜調整することが可能である。例えば、コレステリック液晶層１３が、青色円偏光選択反射手段を備える場合は、円偏光板の上部、即ち、空気界面側に、青色波長領域の反射率が低い反射防止層１６を設ける。また、第一の反射防止層１６は、単一の層で構成されていてもよいし、複数の層で構成されていてもよい。
【００２９】
特定波長の光の反射を防止する技術は、公知の反射防止技術を利用することができる。例えば、ガラス、プラスチック基板などに反射防止層を設ける場合は、反射を防止したい色の波長をλ（例えば、緑色では５５０ｎｍくらい）とし、基板より屈折率の小さい材料（屈折率ｎ）を、膜厚λ／４ｎとして成膜すればよい。さらに屈折率の比較的大きな材料と比較的小さな材料を交互に積層して、それぞれの膜厚を最適化することにより、反射を防止したい色の波長領域を柔軟に選択することができる。
【００３０】
保護基板１７は、第一の積層体を外部からの衝撃等から保護するための層である。保護基板１７の構成材料としては、アクリル板等のプラスチック等が挙げられる。
【００３１】
保護基板１７の底部及び上部にそれぞれ設けられている第二の反射防止層１８及び第三の反射防止層１９は、基本的には上述した第一の反射防止層と同じ役割を果たす。ここで、第二の反射防止層１８及び第三の反射防止層１９は、第一の反射防止層１７と同じ材料で構成されていてもよいし、異なる材料で構成されていてもよい。
【００３２】
この第一の実施形態においては、有機ＥＬ素子部１１にある反射電極による光の反射と共に、円偏光板の上面、保護基板上面からの反射も考慮しなければならない。これらの部材と空気、あるいは充填ガスなどの界面は屈折率差が約０．５であり、約４％の界面反射があるためである。ところで明るい環境の下でも良好な色再現表示をするための要件は主に２つある。第１には、外光の映り込みが少ないことが必要であるということである。これは保護基板上面まで含めて有機ＥＬ表示装置の反射率が低いことに相応する。第２に、反射光の色味が無彩色であることが必要である。これは反射光の色味をＣＩＥ色度座標で評価する時に白色の色味である（０．３，０．３）に近づけることに相応する。
【００３３】
一方、人が視認不可能な反射光の反射率（以下、Ｙ刺激値と言う）は、正反射においては１０％以下、正反射からはずれた角度においては２％以下の反射率であることが必要である。これ以上では、明るい屋外等で映り込みが起こるため画像が充分認識できない恐れがあるからである。この外光の映り込みが気にならないようにためには、好ましくは、正反射で５％以下、正反射からはずれた角度では１％以下となるように反射率を調整する。
【００３４】
また色味を黒と感じるためには、ＣＩＥ色度座標（ｘ，ｙ）の値を、カラーチャートを参考に白色領域に入るように調整すればよい。ただしＹ刺激値が高い場合は、ＣＩＥ色度座標（ｘ，ｙ）の値を合わせても、黒色が白っぽく見えてしまう。
【００３５】
参考に自動車用ランプの白色の色度座標範囲は、白色（０．３，０．３）を中心に、次のように決められている。ただし、色度座標範囲は、（ｉｉｉ）かつ（ｉｖ）、（ｉｉｉ）かつ（ｖ）、（ｉｉｉ）かつ（ｖｉ）のいずれかである。
【００３６】
０．５００≧ｘ≧０．３１０          （ｉｉｉ）
ｙ≦０．１５＋０．６４０×ｘ        （ｉｖ）
ｙ≧０．０５０＋０．７５×ｘ        （ｖ）
０．４４０≧ｙ≧０．３８２          （ｖｉ）
【００３７】
本発明の有機ＥＬ表示装置は、デジタルカメラやテレビモニター等の表示画面として利用することができる。図２は、本発明の有機ＥＬ表示装置をデジタルカメラに搭載している様子を示す断面模式図である。
【００３８】
ここで第一の実施形態の有機ＥＬ表示装置を図２のデジタルカメラに内蔵している例を以下に説明する。即ち、図２のデジタルカメラ２において、基材２１上に順次設けられている有機ＥＬ素子部２２及び円偏光板２３は、第一の実施形態の第一の積層体に相当する。図２のデジタルカメラ２は、有機ＥＬ素子部２２の上面に貼り付けられている円偏光板２３により、外光反射を防止する。
【００３９】
一方、筐体２４に内蔵されている保護基板２５は、図１中の第二の積層体の一部である保護基板１７に相当する。また、基材２１と筐体２４との間には、基材２１と筐体２４との距離を一定に保つための側壁２６が設けられている。このため、第一の積層体及び第二の積層体はそれぞれ一定の距離に離隔して設けられている。観察者は紙面右側から表示面に表示される画像や文字を観察することができる。図２のデジタルカメラ２において、保護基板２５は、外部からの衝撃（例えば使用者が触れることにより加わる応力）から表示装置を保護するための板であり、光透過率が高ければ材質や厚さには特に制限は無い。例えばアクリル板が使われる。
【００４０】
図２のデジタルカメラにおいて、円偏光板を透過する光が反射する場所は、デジタルカメラの構成部材と空気（あるいはガラスキャップ封止のように不活性ガスを充填の場合も含む）との界面である。具体的には、以下に示す界面である。
【００４１】
（ａ）円偏光板上面と空気との界面
（ｂ）保護基板底面と空気との界面
（ｃ）保護基板上面と空気の界面
【００４２】
ここで分光反射スペクトルＲ（λ）から、反射電極及び上記（ａ）〜（ｃ）より発せられる反射光の色味をＣＩＥ色度座標にて表す手法を以下に示す。具体例として、外光が標準白色光源Ｄ６５である場合を考えてみる。標準白色光源Ｄ６５を照射したときに反射光の色味は以下の方法によりＣＩＥ色度座標で表される。
【００４３】
（１）まず測定波長λごとのスペクトル三刺激値［ｘ］（λ）、［ｙ］（λ）、［ｚ］（λ）の表をあらかじめ用意して（例えば、日本規格協会編、色の常識、６６〜６７ページ参照。）、これらスペクトル三刺激値と分光反射率の測定値（Ｒ（λ））との積を計算する。
【００４４】
（２）次に、スペクトル三刺激値と分光反射率Ｒ（λ）の積を測定波長域でそれぞれ合計する。この計算によってそれぞれ得られたものが三刺激値Ｘ，Ｙ，Ｚとある。
【００４５】
Ｘ＝Σ［ｘ］（λ）Ｒ（λ）
Ｙ＝Σ［ｙ］（λ）Ｒ（λ）
Ｚ＝Σ［ｚ］（λ）Ｒ（λ）
【００４６】
（３）次に、以下の関係式からＣＩＥ色度座標値であるｘ、ｙを求める。
【００４７】
ｘ＝Ｘ／（Ｘ＋Ｙ＋Ｚ）
ｙ＝Ｙ／（Ｘ＋Ｙ＋Ｚ）
ｚ＝Ｚ／（Ｘ＋Ｙ＋Ｚ）
【００４８】
＜第二の実施形態＞
図７は、本発明の有機ＥＬ表示装置における第二の実施形態を表す断面模式図である。図７の有機ＥＬ表示装置３は、上述した第一の実施形態と同様に第一の積層体と第二の積層体とから構成される。即ち、第一の積層体とは、有機ＥＬ素子部３１、接着層３２、青色透過円偏光板３３及び第一の反射防止層３４がこの順に設けられている積層体である。また第二の積層体とは、保護基板３５の底面部及び上面部に第二の反射防止層３６及び第三の反射防止層３７がそれぞれ設けられている積層体である。図７の有機ＥＬ表示装置３において、第二の積層体は、第一の積層体の上部に第一の積層体とは離隔して設けられている。
【００４９】
次に、第二の実施形態に相当する有機ＥＬ表示装置を構成する各層について詳細に説明する。尚、有機ＥＬ素子部３１、接着層３２、第一の反射防止層３４、保護基板３５、第二の反射防止層３６及び第三の反射防止層３７は、第一の実施形態の有機ＥＬ表示装置で示されているものと同様である。
【００５０】
青色透過円偏光板３３は、青色の光の偏光を選択的に透過する円偏光板である。この青色透過円偏光板３３は、位相板と偏光板との機能を併せ持っている。青色透過円偏光板３３は、１/４波長板と青色波長領域において光の偏光度が低い偏光板とを構成部材として作製される円偏光板である。
【００５１】
＜第三の実施形態＞
図１１は、本発明の有機ＥＬ表示装置における第三の実施形態を表す断面模式図である。図１１の有機ＥＬ表示装置４は、上述した第一の実施形態と同様に第一の積層体と第二の積層体とから構成される。即ち、第一の積層体とは、有機ＥＬ素子部４１、接着層４２、円偏光板４３及び第一の反射防止層４４がこの順に設けられている積層体である。また第二の積層体とは、保護基板４５の底面部及び上面部に第二の反射防止層４６及び第三の反射防止層４７がそれぞれ設けられている積層体である。図１１の有機ＥＬ表示装置４において、第二の積層体は、第一の積層体の上部に第一の積層体とは離隔して設けられている。
【００５２】
次に、第三の実施形態に相当する有機ＥＬ表示装置を構成する各層について詳細に説明する。尚、有機ＥＬ素子部４１、接着層４２、第一の反射防止層４４及び保護基板４５は、第一の実施形態の有機ＥＬ表示装置で示されているものと同様である。
【００５３】
本実施形態の有機ＥＬ表示装置において、円偏光板４３は、位相板と偏光板との機能を併せ持っている。尚、円偏光板４３は、第一の実施形態と同様に、１／４波長板と直線偏光板とから構成される。
【００５４】
第二の反射防止層４６及び第三の反射防止層４７は、円偏光板４３の着色の補色波長域での反射率の高い反射防止層である。従来、円偏光板上面に設けられる反射防止層は、視感度の高い５５０ｎｍ付近の波長域の反射率を下げる場合が多いので、結果として有機ＥＬ素子部からの反射光は赤紫の色味を持つ。
【実施例】
【００５５】
＜実施例１＞
本発明の第一の実施形態である有機ＥＬ表示装置の特性を評価した。この特性を評価するに当たり、主要な構成部材を以下の方法により作製した。ただし、以下に挙げるものはあくまでも具体例であり、本発明はこれに限定されるものではない。
【００５６】
（Ａ）円偏光板
コレステリック液晶層１３と、１／４波長板１４と、直線偏光板１５と、をこの順に積層してなる円偏光板を、以下に示す方法により作製した。即ち、通常の円偏光板である直線偏光板１５と１／４波長板１４とを貼り合わせたシートに、ポリビニルアルコール層を設け、ラビング処理を行った後に、液晶ポリマー溶液を塗布、乾燥することによって作製した。円偏光板を作成する際に、コレステリック液晶層１３の構成材料となる液晶ポリマーとして、式（ｉ）のλ0が４５０ｎｍ付近にあって、式（ｉｉ）のΔλが７０ｎｍ程度になるような、液晶材料を選択した。具体的には、アクリル基を有するビフェニル系ネマチック液晶と光学活性を有するアクリル系モノマーとの共重合体を使用した。
【００５７】
（Ｂ）第一の反射防止層
電子ビーム蒸着法により、４つの層からなる第一の反射防止層１６を形成した。まずフッ化マグネシウム（ＭｇＦ2：屈折率１．３８）を蒸着し膜厚８５ｎｍの第１層を形成した。次に、酸化アルミニウム（Ａｌ2Ｏ3：屈折率１．５５）を蒸着し膜厚７２ｎｍの第２層を形成した。次に、酸化タンタル（Ｔａ2Ｏ5：屈折率２．３５）を蒸着し膜厚１３７ｎｍの第３層を形成した。最後に、フッ化マグネシウム（ＭｇＦ2：屈折率１．３８）を蒸着し膜厚８２ｎｍの第４層を形成した。
【００５８】
（Ｃ）第二の反射防止層、第三の反射防止層
松下電工製エアロセル樹脂を使用し、ウエットコート法により第二の反射防止層１８及び第三の反射防止層１９となる薄膜をそれぞれ保護基板１７の底面及び上面に成膜した。
【００５９】
図３は、本実施例の有機ＥＬ表示装置を構成する第一の積層体のうち第一の反射防止層１６を省いたものについての分光反射スペクトルを示す図である。
【００６０】
図３より、第一の反射防止層１６を省略した第一の積層体は、青色波長領域（４５０ｎｍ）付近において反射率が最大（１２％程度）となるが、４８０ｎｍより長い波長域では約４％の反射率で一定であった。このように反射防止層を全く設けていない場合、反射光の色味は青色であり、ＣＩＥ色度座標で（０．２４，０．２２）と表すことができる（図４のＣＩＥ色度チャート参照。）。
【００６１】
図５は、実施例１における反射防止層を設けたときの波長ごとの反射率（分光反射スペクトル）を示す図である。図５において、ＡＲコートとは、第一の反射防止層を設けた場合の第一の積層体の波長ごとの反射率を表し、エアロセラコートとは、第二の反射防止層及び第三の反射防止層を設けた第二の積層体の波長ごとの反射率を表す。
【００６２】
図５より、第一の反射防止層を設けることによって、青色波長領域（４５０ｎｍ近辺）における第一の積層体の反射率は、４〜５％にまで低減された。
【００６３】
一方、第二の積層体の一部である保護基板１７は、底面と上面とで起こる外光反射の反射率は、両面合わせて約８％になった。ここで、保護基板１７の底面と上面とにそれぞれ第二の反射防止層１８及び第三の反射防止層１９を設けると、図５に示されるように、最大で反射率を２％以下に抑えることができる。特に、第二の反射防止層１８及び第三の反射防止層１９を設けることにより、５５０ｎｍ付近の反射が小さくなっていた。
【００６４】
次に、図２に示されるように、デジタルカメラに本実施例の有機ＥＬ表示装置を組み込んだ状態で、分光反射スペクトルを測定した。図６は、本実施例の有機ＥＬ表示装置を組み込んだデジタルカメラの分光反射スペクトルを示す図である。図６の分光反射スペクトルからデジタルカメラに有機ＥＬ表示装置を組み込んだ状態の反射光の色味は、ＣＩＥ色度座標で（０．３０，０．２９）であった。図４のＣＩＥ色度チャートに、この座標位置を示す。また、正反射での視感反射率（Ｙ刺激値）は６．８％であった。Ｙ刺激値が１０％以下であるため、見た目にも、まっ黒であった。
【００６５】
このように青の色味を持つ円偏光板を備えた有機ＥＬ表示装置において、光取り出し側の空気界面に青色波長域の反射が相対的に低くなるような反射防止層を設けることで、より黒色の有機ＥＬ表示部が得られる。
【００６６】
＜実施例２＞
本発明の第二の実施形態である有機ＥＬ表示装置の特性を評価した。この特性を評価するに当たり、主要な構成部材を以下の方法により用意した。ただし、以下に挙げるものはあくまでも具体例であり、本発明はこれに限定されるものではない。
【００６７】
（Ａ）青色透過円偏光板
ポラテクノ社製、ＳＴＮ色相補償用バイオレット偏光板（Ｖ３２−１８２４５Ｔ）を用いた。ところで、偏光板の偏光度は、同種の偏光板２枚を直交したときの透過率の値をＣ、偏光板２枚を平行にしたときの透過率の値をＰとすると、偏光度は次の式で定義される。
【００６８】
偏光度（％）＝１００×（Ｐ−Ｃ）／Ｐ
【００６９】
通常用いられる偏光板は偏光度９９％以上であるが、使用する青色透過円偏光板３３は偏光度が８５％である。特に青色波長領域においては偏光度が３０％以下である。このため青色波長領域では、有機ＥＬ素子部３１から発する青色発光は効率良く観察者側に取り出されるが、外光の青色波長域に対する反射防止効果は不十分である。
【００７０】
（Ｂ）第一の反射防止層
電子ビーム蒸着法により、２つの層からなる第一の反射防止層３４を形成した。まず酸化ジルコニウム（ＺｒＯ2：屈折率１．９５）を蒸着し膜厚１４ｎｍの第１層を形成した。次に、フッ化マグネシウム（ＭｇＦ2：屈折率１．３８）を蒸着し膜厚１１３ｎｍの厚さの第２層を形成した。
【００７１】
（Ｃ）第二の反射防止層、第三の反射防止層
松下電工製エアロセル樹脂を使用し、ウエットコート法により第二の反射防止層３６及び第三の反射防止層３７となる薄膜をそれぞれ保護基板３５の底面及び上面に成膜した。
【００７２】
図８は、本実施例の有機ＥＬ表示装置を構成する第一の積層体のうち第一の反射防止層３４を省いたものについての分光反射スペクトルを示す図である。図８に示されるように、第一の反射防止層３４を省略した場合は、青色波長域（４５０ｎｍ）付近での反射率が最大（１９％程度）となり、５３０ｎｍから６６０ｎｍの緑から赤の波長域では約１０％以下の反射率であった。この反射光の色味は、ＣＩＥ色度座標で（０．２１，０．２０）と表すことができる（図４のＣＩＥ色度チャート参照。）。
【００７３】
図９は、実施例２における反射防止層を設けたときの波長ごとの反射率を示す図である。図９において、ＡＲコートとは、第一の反射防止層を設けた場合の第一の積層体の波長ごとの反射率を表し、エアロセラコートとは、第二の反射防止層及び第三の反射防止層を設けた第二の積層体の波長ごとの反射率を表す。
【００７４】
図９より、第一の反射防止層を設けることによって、青色波長域の反射率を低減すると共に、５７０ｎｍからの長波長領域（青の補色）において比較的反射率が大きくなっていた。
【００７５】
一方、第二の積層体の一部である保護基板３５の底面と上面とにそれぞれ第二の反射防止層３６及び第三の反射防止層３７を設けると、図９に示されるように、５７０ｎｍからの長波長領域（青の補色）における反射率が１％以下までに低下していた。
【００７６】
次に、図２に示されるように、デジタルカメラに本実施形態の有機ＥＬ表示装置を組み込んだ状態で分光反射スペクトルを測定した。結果は、上記有機ＥＬ表示部円偏光板と保護板の反射を足し合わせたスペクトルとほぼ一致した。
【００７７】
図１０は、本実施形態の有機ＥＬ表示装置を組み込んだデジタルカメラの分光反射スペクトルを示す図である。図１０より正反射光の色味は、ＣＩＥ色度座標で（０．２５，０．２３）であり、視感反射率（Ｙ刺激値）は９．５％であり、見た目では黒っぽい色になった。
【００７８】
＜実施例３＞
本発明の第三の実施形態である有機ＥＬ表示装置の特性を評価した。この特性を評価するに当たり、主要な構成部材を以下の方法により用意した。ただし、以下に挙げるものはあくまでも具体例であり、本発明はこれに限定されるものではない。
【００７９】
（Ａ）円偏光板
（株）ポラテクノ製  有機ＥＬ用円偏光板ＥＰを用いた。
【００８０】
（Ｂ）第一の反射防止層
電子ビーム蒸着法により、２つの層からなる第一の反射防止層４４を形成した。まず酸化ジルコニウム（ＺｒＯ2：屈折率１．９５）を蒸着し膜厚１４ｎｍの第１層を形成した。次に、フッ化マグネシウム（ＭｇＦ2：屈折率１．３８）を蒸着し膜厚１３６ｎｍの厚さの第２層を形成した。
【００８１】
（Ｃ）第二の反射防止層、第三の反射防止層
まず、松下電工製エアロセル樹脂を使用し、ウエットコート法により第二の反射防止層４６となる薄膜を保護基板４５の底面に成膜した。次に、電子ビーム蒸着法により、フッ化マグネシウム（ＭｇＦ2：屈折率１．３８）を蒸着し、膜厚４００ｎｍの第三の反射防止層４７を形成した。
【００８２】
図１２は、本実施例の有機ＥＬ表示装置を構成する第一の積層体の分光反射スペクトルを示す図である。図１２に示されるように、第一の積層体は、緑色波長域（５５０ｎｍ）付近で反射率が最小（１％程度）となり、４６０ｎｍ以下及び６６０ｎｍ以上の波長域では約１〜３％のやや高い反射率であった。この反射光の色味は、赤紫である。この正反射光の色味は、ＣＩＥ色度座標で（０．２６，０．１９）と表すことができる（図４のＣＩＥ色度チャート参照。）。尚、視感反射率（Ｙ刺激値）は１．０％であった。
【００８３】
図１３は、本実施例の有機ＥＬ表示装置を構成する第二の積層体の分光反射スペクトルを示す図である。図１３より、第二の積層体は、第二の反射防止層４６及び第三の反射防止層４７を設けることにより、図１３に示されるように、緑色波長域の反射が増加した。即ち、第三の反射防止層４７により、青色波長領域の反射率を下げて、５５０ｎｍの波長領域の反射率が大きくなる一方で、第二の反射防止層４６により、広い波長領域で反射率が１％以下まで低下していた。
【００８４】
次に、図２に示されるように、デジタルカメラに本実施形態の有機ＥＬ表示装置を組み込んだ状態で分光反射スペクトルを測定した。結果は、上記有機ＥＬ表示部円偏光板と保護板の反射を足し合わせたスペクトルとほぼ一致した。
【００８５】
図１４は、本実施例の有機ＥＬ表示装置を組み込んだデジタルカメラの分光反射スペクトルを示す図である。図１４より正反射光の色味は、ＣＩＥ色度座標で（０．３１，０．３１）であり、視感反射率（Ｙ刺激値）は４．２％であり、見た目では黒っぽい色になった。
【００８６】
以上のように色味を持つ円偏光板を備えた有機ＥＬ表示素子の、光取り出し側の空気界面を色味の波長域の反射が相対的に低くなるような反射防止層を設けることで、黒色の有機ＥＬ表示装置が得られる。
【００８７】
本発明の反射特性は、低反射と反射光の色味の低減を両立させることが可能である。
【００８８】
例えば室内の蛍光灯のような、輝度の高い外光が映り込んだ場合でも、色味は無彩色で、気にならない。
【図面の簡単な説明】
【００８９】
【図１】本発明の有機ＥＬ表示装置における第一の実施形態を示す断面模式図である。
【図２】本発明の有機ＥＬ表示装置をデジタルカメラに搭載している様子を示す断面模式図である。
【図３】実施例１における有機ＥＬ表示装置を構成する第一の積層体のうち第一の反射防止層を省いたものについての分光反射スペクトルを示す図である。
【図４】ＣＩＥ色度チャートを示す図である。
【図５】実施例１における反射防止層を設けたときの分光反射スペクトルを示す図である。
【図６】実施例１の有機ＥＬ表示装置を搭載したデジタルカメラの分光反射スペクトルを示す図である。
【図７】本発明の有機ＥＬ表示装置における第二の実施形態を示す断面模式図である。
【図８】実施例２における有機ＥＬ表示装置を構成する第一の積層体のうち第一の反射防止層を省いたものについての分光反射スペクトルを示す図である。
【図９】実施例２における反射防止層を設けたときの分光反射スペクトルを示す図である。
【図１０】実施例２の有機ＥＬ表示装置を搭載したデジタルカメラの分光反射スペクトルを示す図である。
【図１１】本発明の有機ＥＬ表示装置における第三の実施形態を示す断面模式図である。
【図１２】実施例３の有機ＥＬ表示装置を構成する第一の積層体の分光反射スペクトルを示す図である。
【図１３】実施例３の有機ＥＬ表示装置を構成する第二の積層体の分光反射スペクトルを示す図である。
【図１４】実施例３の有機ＥＬ表示装置を搭載したデジタルカメラの分光反射スペクトルを示す図である。
【図１５】従来の有機ＥＬ表示装置の一例を示す断面模式図である。
【符号の説明】
【００９０】
１，３，４  有機ＥＬ表示装置
１１，２１，３１，４１  有機ＥＬ表示部
１２，３２，４２  接着層
１３  コレステリック液晶層
１４  １／４波長板
１５  直線偏光板
１６，３４，４４  第一の反射防止層
１７，２５，３５，４５  保護基板
１８，３６，４６  第二の反射防止層
１９，３７，４７  第三の反射防止層
２１  下部基板
２３  円偏光板
２４  筐体
２６  側壁
３３  青色透過円偏光板
４３  円偏光板
【図１】
2009259721.tif 000003
【図２】
2009259721.tif 000004
【図３】
2009259721.tif 000005
【図４】
2009259721.tif 000006
【図５】
2009259721.tif 000007
【図６】
2009259721.tif 000008
【図７】
2009259721.tif 000009
【図８】
2009259721.tif 000010
【図９】
2009259721.tif 000011
【図１０】
2009259721.tif 000012
【図１１】
2009259721.tif 000013
【図１２】
2009259721.tif 000014
【図１３】
2009259721.tif 000015
【図１４】
2009259721.tif 000016
【図１５】
2009259721.tif 000017